(57)【要約】【課題】  空気吹出口から吹き出される調整風の方向を、空気吹出口に配した風向調整羽根による配風方向に制御することができ、しかも、空気吹出口から吹き出される調整風の風速を高めておくことができる風向調整装置を提供する。【解決手段】  空調ケース内に風向調整羽根とガイド羽根とを、第１リンク部によって連動して同じ回動方向に回動するように配設する。ガイド羽根の幅寸法を風向調整羽根の幅寸法よりも短く構成するとともに、ガイド羽根の回動角度を風向調整羽根の回動角度よりも大きな回動角度に構成する。これにより、ガイド羽根と空調ケースの内壁面との間で第１絞り部が形成でき、第１絞り部で絞って層流状態になった調整風を風向調整羽根に供給して、風向調整羽根で配風させることができる。【選択図】  図１
2014024438.tif 000002
【特許請求の範囲】
【請求項１】
空調ケースの空気吹出し口側に軸着した風向調整羽根と、前記空調ケース内の上流側において、前記風向調整羽根の後方に軸着したガイド羽根と、を有し、
前記風向調整羽根の回動軸と前記ガイド羽根の回動軸は、互いに平行に配設され、
前記風向調整羽根と前記ガイド羽根とは、操作手段によって同じ傾斜方向となるように連動して回動し、
前記空調ケース内を流れる調整風は、最初に前記ガイド羽根と前記空調ケースの内壁とによって絞られて前記風向調整羽根に供給されていることを特徴とする風向調整装置。
【請求項２】
前記ガイド羽根の回動軸が、前記ガイド羽根の前端よりも前方の部位に配設され、
前記風向調整羽根の回動軸が、前記風向調整羽根の前端側における部位に配設され、
前記風向調整羽根と前記ガイド羽根とは、操作手段によって同じ回動方向に向かって連動して回動し、
前記空調ケースの前後方向における幅寸法において、前記ガイド羽根の幅寸法が、前記風向調整羽根の幅寸法よりも短く構成されていることを特徴とする請求項１に記載の風向調整装置。
【請求項３】
前記操作手段によって連動回動させたとき、前記ガイド羽根の回動角度が、前記風向調整羽根の回動角度よりも大きな回動角度であり、前記風向調整羽根を最大角度に回動させたときには、少なくとも前記ガイド羽根の後端縁は前記空調ケースの内面に近接した位置に配されていることを特徴とする請求項１又は２に記載の風向調整装置。
【請求項４】
前記風向調整羽根の回動軸と前記ガイド羽根の回動軸とは、前記空調ケースの前後方向における同一の直線上に配置されていることを特徴とする請求項１〜３のいずれかに記載の風向調整装置。
【請求項５】
前記風向調整羽根と前記ガイド羽根との中間位置、または前記風向調整羽根よりも前方側の位置に、前記風向調整羽根の配風方向とは異なる配風方向とする配風羽根が軸着されていることを特徴とする請求項１〜４のいずれかに記載の風向調整装置。
【請求項６】
前記風向調整羽根、前記ガイド羽根及び前記配風羽根が、それぞれ複数枚配設され、複数枚の前記風向調整羽根、複数枚の前記ガイド羽根及び複数枚の前記配風羽根は、それぞれ同じ羽根同士が連動して回動することを特徴とする請求項１〜５のいずれかに記載の風向調整装置。
【請求項７】
前記空調ケースの空気吹出し口側における端部に、外側に向かって拡開する傾斜面が形成されていることを特徴とする請求項１〜６のいずれかに記載の風向調整装置。
【発明の詳細な説明】
【技術分野】
【０００１】
本願発明は、風向調整装置に関するものであり、例えば、車両の空気吹出部に設けられている風向調整装置に関するものである。尚、本願発明では、回動軸及び回転軸の意味としては、軸の軸部としての意味と、軸の軸線としての意味とを包含している。
【背景技術】
【０００２】
車両用の風向調整装置は、例えば、自動車のインストルメントパネルに装着されており、温度管理や風量が調整された調整風を供給するダクトに接続した中空状のケース体と、ケース体の空気吹出口から吹き出される調整風の配風方向を制御する羽根と、を有する構成になっている。
【０００３】
一般的に、調整風の配風方向を制御する羽根としては、例えば上下方向又は左右方向に調整風を配風させる前羽根が、一枚以上の枚数で空気吹出口の開口側に設けられた構成が採用されている。前羽根が複数枚設けられた構成では、各前羽根は、連動して回動することができる構成になっている。
【０００４】
そして、前羽根の配風方向とは異なる方向である、例えば左右方向又は上下方向に調整風を配風させる後羽根が、一枚以上の枚数で前羽根の後方に設けられた構成が採用されている。
【０００５】
このように構成された風向調整装置では、調整風が後羽根によって配風された後に、前羽根によって別の方向に配風されることになる。しかし、例えば、上下方向に調整風を配風させる前羽根に関して検討すると、一見すると上向きに傾斜した前羽根の傾斜面に沿って調整風が吹き出されているように考えられるが、一般的には、前羽根の傾斜角度よりも小さな角度でしか調整風は吹き出されていない。
【０００６】
この原因としては、次のようなことが考えられている。即ち、傾斜した前羽根の先端側においては、ケース体下壁の内面に沿って直進した調整風が水平方向の風となって空気吹出口から吹き出されることになる。この水平方向に吹き出された風の影響によって、前羽根によって上方に向かって配風されていた調整風が下方側に押し下げられてしまうことになる。これが、原因の一つとして考えられている。
【０００７】
また、ケース体内において直進していた調整風が、傾斜した前羽根の上面に当たると、傾斜した前羽根の上面に当たった調整風の一部は、前羽根によって跳ね返えされてしまい、前羽根の上面に沿った流れとは異なる方向に流れることになる。そして、この跳ね返された調整風は、跳ね返した前羽根に対して隣接して配されている別の前羽根の下面に当たることになる。更に、隣接した前羽根の下面に当たった調整風が再び跳ね返されることによって、隣接した前羽根間において乱流が発生することになる。このようにして発生した乱流の影響によって、前羽根による配風方向の風量を減衰させることになる。これが、また原因の一つとして考えられている。
【０００８】
このように考えられている原因によって生じる問題を解決するものとして、車両用空調装置（特許文献１参照）が提案されている。特許文献１に記載された車両用空調装置では、空調ケースの空気吹出口側に複数枚の風向調整羽根を並列させた状態に設けている。そして、複数枚の風向調整羽根は、連動して回動する構成になっている。
【０００９】
風向調整羽根の後方側である空調ケースの上流側には、複数枚の誘導羽根が並列した状
態で設けられている。そして、複数枚の誘導羽根は、連動して回動する構成になっている。また、各風向調整羽根の回動軸と各誘導羽根の回動軸とは、互いに平行に配されており、操作手段によって各風向調整羽根を回動させると、同時に各誘導羽根は、各風向調整羽根の回動方向とは逆向きに回動する構成になっている。
【００１０】
このように構成されているので、空調ケース内に供給された調整風は、最初に各誘導羽根によって配風されることになる。各誘導羽根によって配風された調整風は、次に各風向調整羽根によって、誘導羽根による配風方向とは線対称になった方向に配風されることになる。そして、調整風の流れとしては、各誘導羽根と各風向調整羽根とによって、蛇行した層流の流れになる。
【００１１】
特に、空気吹出口における開口面積が大きく形成されているので、各誘導羽根と各風向調整羽根とによって、蛇行して層流となって流れる調整風は、各風向調整羽根によって好適に配風されることができ、配風された方向のまま空気吹出口から吹き出されることになる。
【先行技術文献】
【特許文献】
【００１２】
【特許文献１】実願平０１−１３６０７２号（実開平０３−７５０１４号）のマイクロフィルム
【発明の概要】
【発明が解決しようとする課題】
【００１３】
特許文献１に記載された発明では、各誘導羽根と各風向調整羽根とによって、調整風は蛇行した層流の流れになることができる。そして、最後に調整風は、各風向調整羽根の傾斜方向に沿った流れになって、空気吹出口から吹き出されることになる。
【００１４】
特許文献１に記載された発明では、各風向調整羽根の傾斜方向に沿った流れになって、空気吹出口から調整風を吹き出させるためには、各誘導羽根と各風向調整羽根とによって、調整風を蛇行した層流の流れにしておかなければならない。しかし、調整風を蛇行させることに伴って、調整風の風速が低下してしまうことになる。
【００１５】
また、特許文献１に記載された発明は、特に、空気吹出口における開口面積が大きく形成されている場合において、好適に適用することができるが、逆に、空気吹出口における開口面積が薄く形成されている、所謂薄型の風向調整装置に対しては、空調ケース内において蛇行した層流を充分に生じさせることができない。そのため、特許文献１に記載された発明の効果を十分に発揮させることが難しくなっている。
【００１６】
特に、薄型の風向調整装置に適用した場合には、誘導羽根や風向調整羽根を空調ケース内において、それぞれ複数枚配設しておくことが難しくなる。即ち、薄型の風向調整装置では、誘導羽根や風向調整羽根の配設枚数としては、一枚か多くて二枚で構成されることになる。その結果、誘導羽根の両端部と空調ケースの内壁との間から調整風が直線流となって通過してしまう割合が大きくなり、所謂吹き抜け風が多く発生することになる。
【００１７】
本願発明では、従来における上述した問題を解決すると共に、空気吹出口から吹き出される調整風の方向を、空気吹出口に配した風向調整羽根の傾斜方向に沿った配風方向に制御することができ、しかも、空気吹出口から吹き出される調整風の風速を高めておくことができ、また、薄型に構成した場合であっても、これらの効果を奏することのできる風向調整装置の提供を課題にしている。
【課題を解決するための手段】
【００１８】
かかる本願発明の課題は、請求項１〜７に記載した風向調整装置により達成することができる。
即ち、本願発明では、空調ケースの空気吹出し口側に軸着した風向調整羽根と、前記空調ケース内の上流側において、前記風向調整羽根の後方に軸着したガイド羽根と、を有し、
前記風向調整羽根の回動軸と前記ガイド羽根の回動軸とは、互いに平行に配設され、前記風向調整羽根と前記ガイド羽根とは、操作手段によって同じ傾斜方向となるように連動して回動し、前記空調ケース内を流れる調整風は、最初に前記ガイド羽根と前記空調ケースの内壁とによって絞られて前記風向調整羽根に供給されていることを最も主要な特徴としている。
【００１９】
また、本願発明では、前記ガイド羽根の回動軸が、前記ガイド羽根の前端よりも前方の部位に配設され、前記風向調整羽根の回動軸が、前記風向調整羽根の前端側における部位に配設され、前記風向調整羽根と前記ガイド羽根とは、操作手段によって同じ回動方向に向かって連動して回動し、前記空調ケースの前後方向における幅寸法において、前記ガイド羽根の幅寸法が、前記風向調整羽根の幅寸法よりも短く構成されていることを主要な特徴としている。
【００２０】
更に、本願発明では、前記操作手段によって連動回動させたとき、前記ガイド羽根の回動角度が、前記風向調整羽根の回動角度よりも大きな回動角度であり、前記風向調整羽根を最大角度に回動させたときには、少なくとも前記ガイド羽根の後端縁は前記空調ケースの内面に近接した位置に配されていることを主要な特徴としている。
【００２１】
更にまた、本願発明では、前記風向調整羽根の回動軸と前記ガイド羽根の回動軸とは、前記空調ケースの前後方向における同一の直線上に配置されていることを主要な特徴としている。
【００２２】
また、本願発明では、前記風向調整羽根と前記ガイド羽根との中間位置、または前記風向調整羽根よりも前方側の位置に、前記風向調整羽根の配風方向とは異なる配風方向とする配風羽根が軸着されていることを主要な特徴としている。
【００２３】
更に、本願発明では、前記風向調整羽根、前記ガイド羽根及び前記配風羽根が、それぞれ複数枚配設され、複数枚の前記風向調整羽根、複数枚の前記ガイド羽根及び複数枚の前記配風羽根は、それぞれ同じ羽根同士が連動して回動することを主要な特徴としている。
【００２４】
更にまた、本願発明では、前記空調ケースの空気吹出し口側における端部に、外側に向かって拡開する傾斜面が形成されていることを主要な特徴としている。
【発明の効果】
【００２５】
本願発明では、ガイド羽根とケース内壁とによって、調整風に対する第１絞り部を構成している。そして、第１絞り部によって絞られて流速が早くなった調整風は、層流となって、そのまま風向調整羽根に供給されることになる。そして、風向調整羽根に供給された調整風は、風向調整羽根で配風された方向に沿って空気吹出口から吹き出されることになる。
【００２６】
しかも、風向調整羽根とケース内壁とによって第２絞り部が形成されることになるので、この第２絞り部において調整風は更に加速された状態になって、空気吹出口から吹き出されることになる。
【００２７】
絞られて層流状態になった調整風は、風向調整羽根によって配風されることになるので、空気吹出口から吹き出されている調整風は、吹き抜け風の影響を受けることがなくなる。これによって、風向調整羽根によって配風された調整風は、風向調整羽根による配風方向が減られることがなくなり、そのまま配風方向に沿った流れとなって、空気吹出口から吹き出されることになる。これによって、吹き抜け風の影響を受けることなく、調整風の配風域を広角に構成することができる。
【００２８】
本願発明では、ガイド羽根の回動軸を、ガイド羽根の前端よりも前方の部位に配設しておくことができ、風向調整羽根の回動軸を、風向調整羽根の前端側における部位に配設しておくことができる。しかも、風向調整羽根とガイド羽根とを操作手段によって同じ回動方向に向かって連動して回動させることができる。更に、空調ケースの前後方向における幅寸法として、ガイド羽根の幅寸法を、風向調整羽根の幅寸法よりも短く構成しておくことができる。
【００２９】
このように構成しておくことにより、ガイド羽根による第１絞り部において、調整風を大きく絞ることがなく、また、風向調整羽根による第２絞り部においても、調整風を大きく絞ることがない。そのため、調整風に対して第１絞り部及び第２絞り部において生じる圧力損失をそれぞれ減らすことができる。これによって、空気吹出口から吹き出される調整風の風速が低減するのを防ぐことができる。
【００３０】
本願発明では、操作手段によって風向調整羽根及びガイド羽根を回動させたときに、ガイド羽根の回動角度が風向調整羽根の回動角度よりも大きな回動角度となるように構成しておくことができる。しかも、風向調整羽根を最大角度に回動させたときには、少なくともガイド羽根の後端縁が、空調ケースの内面に近接した位置に配される構成にしておくことができる。
【００３１】
このように構成することによって、風向調整羽根を最大角度に回動させたときに、ガイド羽根の後端縁と空調ケースの内面との間の隙間から、吹き抜け風が発生するのを防止しておくことができる。そして、風向調整羽根による配風をより確実に行わせることができる。
【００３２】
本願発明では、風向調整羽根の回動軸とガイド羽根の回動軸とを、空調ケースの前後方向における同一の直線上に配置しておくことができる。このように構成しておくことにより、風向調整羽根及びガイド羽根を水平状態に配設したときには、調整風の流れに対して風向調整羽根及びガイド羽根を一直線状に配することができる。そして、風向調整羽根及びガイド羽根による調整風に対する圧力損失を減らすことができる。
【００３３】
また、風向調整装置の正面視における意匠性を向上させることができる。特に、薄型の風向調整装置における構成のように、風向調整羽根の配設枚数及びガイド羽根の配設枚数を、例えば、一枚ずつ配設した場合において、風向調整装置の正面視における意匠性を大幅に向上させることができる。
【００３４】
本願発明では、風向調整羽根による配風方向とは異なる方向に配風させる配風羽根を、風向調整羽根とガイド羽根との中間位置、または風向調整羽根よりも前方側の位置に配設しておくことができる。
このように、配風羽根を設けることによって、風向調整装置から吹き出される調整風の風向を異なる二方向に亘って制御することができる。
【００３５】
本願発明では、風向調整羽根の配設枚数、ガイド羽根の配設枚数、及び配風羽根の配設枚数をそれぞれ複数枚に構成しておくことができる。即ち、本願発明を薄型の風向調整装
置や空気吹出口における開口面積が大きな風向調整装置に対して、好適に適用することができる。
【００３６】
本願発明では、空調ケースの空気吹出し口側における端部に、外側に向かって拡開する傾斜面を形成しておくことができる。このように構成することにより、空調ケースの端部において乱流が発生するのを防止することができる。また、空調ケースの端部における空気抵抗を低減させることができると共に、風切り音の発生を防止できる。
【図面の簡単な説明】
【００３７】
【図１】風向調整装置の斜視図である。（実施例１）
【図２】風向調整装置の組立て前の分解斜視図である。（実施例１）
【図３】図１のA−A断面図である。（実施例１）
【図４】配風羽根を省略して示した図３のB−B断面図であって、風向調整羽根及びガイド羽根の上方への回動状態を示す。（実施例１）
【図５】配風羽根を省略して示した図３のB−B断面図であって、風向調整羽根及びガイド羽根の水平状態を示す。（実施例１）
【図６】配風羽根を省略して示した図３のB−B断面図であって、風向調整羽根及びガイド羽根の下方への回動状態を示す。（実施例１）
【図７】配風羽根を省略して示した図３のB−B断面図であって、第１リンク部の回動状態を示す。（実施例１）
【図８】図１のA−A断面と同じ断面図であって、風向調整装置の他の構成を示す。（実施例２）
【図９】配風羽根を省略して示した図８のC−C断図であって、他の風向調整装置における風向調整羽根及びガイド羽根の上方への回動状態を示す。（実施例２）
【図１０】配風羽根を省略して示した図８のC−C断図であって、他の風向調整装置における風向調整羽根及びガイド羽根の下方への回動状態を示す。（実施例２）
【図１１】配風羽根を省略して示した図８のC−C断図であって、他の風向調整装置における歯車機構の回動状態を示す。（実施例２）
【図１２】配風羽根を省略した図３のB−B断面と同様の断面であって、別の風向調整装置における風向調整羽根及びガイド羽根の変形例及び回動機構を示す。（実施例３）
【発明を実施するための形態】
【００３８】
本願発明の好適な実施の形態について、添付図面に基づいて以下において具体的に説明する。本願発明に係わる風向調整装置としては、以下では、自動車用に用いられる薄型の風向調整装置を例に挙げて説明を行う。本願発明は、薄型の風向調整装置に限定されるものではなく、空気吹出口における開口面積が大きく形成されている風向調整装置に対しても好適に適用することができる。
【００３９】
また、本願発明の課題を解決することができる形状、構成であれば、自動車用に限定されることなく、調整風を吹出すことのできる風向調整装置に対して本願発明に係わる形状、構成を採用することができるものである。このため、本願発明は、以下に説明する実施例に限定されるものではなく、多様な変更が可能である。
【実施例１】
【００４０】
図１には、自動車用に用いられる薄型の風向調整装置1の斜視図を示している。風向調整装置1の空調ケース2における空気吹出口3内には、上下方向に調整風を配風させる風向調整羽根4が、一枚配設されている。風向調整羽根4には操作ノブ7が装着されており、操作ノブ7と風向調整羽根4とは、一体的に回動すると共に、操作ノブ7は風向調整羽根4の長手方向に沿って摺動することができる。
【００４１】
風向調整羽根4の後方側である空調ケース2の上流側には、配風羽根6が複数枚配設されている。図２に示すように、配風羽根6の後方側である空調ケース2の上流側には、ガイド羽根5が、一枚配設されている。風向調整羽根4とガイド羽根5とは、第１リンク部10を介して、同じ方向に連動して回動する構成になっている。
【００４２】
そのため、空調ケース2の両側面には、風向調整羽根4とガイド羽根5とを連動回動させるための第１円弧溝12と第２円弧溝13とが形成されている。各第１円弧溝12内には、風向調整羽根4の後端縁の角部に形成した嵌合用軸4cが溝内を摺動自在に挿入されており、各第２円弧溝13内には、ガイド羽根5の側面に形成した連結軸5bが溝内を摺動自在に挿入されている。
【００４３】
嵌合用軸4cの端部は、中間部材20の一端側に形成した嵌合孔20aに嵌合している。嵌合用軸4c及び嵌合孔20aの断面形状は、それぞれ矩形形状等に形成しておくことができ、嵌合用軸4cと嵌合孔20aとの間で相対的な回動が生じないように構成されている。
【００４４】
中間部材20の他端側には、連結軸4bが形成されており、連結軸4bは、第１リンク部10の一端側における軸孔10aに軸支されている。また、ガイド羽根5の連結軸5bは、第１リンク部10の他端部側における軸孔10bに軸支されている。
【００４５】
図示例では、中間部材20を用いることによって、第１リンク部10と風向調整羽根4との連結位置が、風向調整羽根4の後端縁よりも後方側の位置となるように構成した例を示している。しかし、本願発明では、この構成に限定されるものではなく、第１リンク部10と風向調整羽根4との連結位置が、風向調整羽根4の後端縁よりも後方側の位置に構成することができる構成であれば、他の構成を採用することもできる。
【００４６】
また、本願発明では、第１リンク部10と風向調整羽根4との連結位置を、風向調整羽根4の後端縁よりも後方側の位置に限定されるものではなく、風向調整羽根4の後端縁に連結軸4bを形成し、連結軸4bを第１円弧溝12内で摺動可能に構成しておくこともできる。
【００４７】
風向調整羽根4が、風向調整羽根4の先端縁における角部に形成した回動軸4aを中心として回動すると、中間部材20は風向調整羽根4と共に、一体的に回動軸4aを中心として回動することができる。そして、風向調整羽根4の回動は、中間部材20を介して第１リンク部10に伝達され、回動軸5aを中心としてガイド羽根5を回動させることができる。
【００４８】
即ち、図３に示すように、風向調整羽根4は、風向調整羽根4の先端縁における角部に形成した回動軸4aを中心として回動することができ、ガイド羽根5は、ガイド羽根5の先端縁における角部よりも更に前方側に形成した回動軸5aを中心として回動することができる。
【００４９】
ガイド羽根5の回動軸5aは、ガイド羽根5の前端よりも前方側となる空調ケース2の側面の部位に軸支された構成になっており、風向調整羽根4の回動軸4aは、風向調整羽根4の前端側となる空調ケース2の側面の部位に軸支された構成になっている。
【００５０】
また、空調ケース2の前後方向における幅である風向調整羽根4の幅寸法は、ガイド羽根5の幅寸法よりも長い幅寸法となるように構成されている。図１、図２に示すように、風向調整羽根4と一体的に回動する中間部材20に設けた連結軸4bと回動軸4aまでの距離と、ガイド羽根5における連結軸5bと回動軸5aまでの距離より長く構成しているので、風向調整羽根4の回動角度をガイド羽根5の回動角度よりも小さな回動角度にすることができる。そして、第１円弧溝12の溝半径は、第２円弧溝13の溝半径よりも大きな径に構成されている。
【００５１】
図２に示すように、各配風羽根6の回動軸6aは、一対のスペーサ8の対向する内面にそれぞれ形成した複数の軸支穴8aによって軸支されている。一対のスペーサ8は、各配風羽根6の回動軸6aにおける両端部を軸支した状態で、空調ケース2の空気吹出口3側における上下内面にそれぞれ取り付けることができる。
【００５２】
各配風羽根6の後端側には、各配風羽根6を連動して回動させるための連結軸6bが形成されており、各連結軸6bは、第２リンク部11によってそれぞれ軸支されている。複数枚の配風羽根6を連動して回動させるリンク機構の構成としては、第２リンク部11を用いた構成を図示しているが、このリンク機構としては、従来から公知のリンク機構を採用することができる。
【００５３】
図２、図３に示すように、操作ノブ7の後端部には、一対のフォーク部7aが延設されている。一対のフォーク部7aに対向した配風羽根6には、その前縁部18aには一対のフォーク部7aを係合させる軸部が形成されており、軸部の後方側には、一対のフォーク部7aとの干渉を防止する開口部18bが形成されている。
【００５４】
操作ノブ7を風向調整羽根4の長手方向に沿って摺動させることにより、一対のフォーク部7aに係合している配風羽根6は、回動軸6aを中心として回動することができる。そして、この配風羽根6の回動が、第２リンク部11を介して残りの配風羽根6に伝達され、全ての配風羽根6は、連動して回動することができる。
【００５５】
図２に示すように、空気吹出口3の前面側には、パネル部9の裏面に形成した被係止部9aを係止させる係止部3bが形成されており、被係止部9aを係止部3bに係止させることで、図１に示すように、パネル部9を備えた風向調整装置1を組み立てることができる。
【００５６】
次に、図４〜図７を用いて、図示せぬ操作ノブ7を操作することによって風向調整羽根4とガイド羽根5とを連動して回動させる構成について説明する。尚、図４〜図７では、操作ノブ7の図示、配風羽根6の図示は省略している。
【００５７】
図４では、図示せぬ操作ノブ7を操作して、回動軸4aを中心とした紙面における反時計回り方向に最大角度まで、風向調整羽根4を回動させた状態を示している。風向調整羽根4が回動すると、第１リンク部10、第１円弧溝12及び第２円弧溝13を介して、ガイド羽根5も風向調整羽根4と同じ回動方向に回動することができる。
【００５８】
このとき、風向調整羽根4は、風向調整羽根4の先端縁側に配された回動軸4aを中心に回動するのに対して、ガイド羽根5は、ガイド羽根5の先端縁よりも前方側に配された回動軸5aを中心として回動する。しかも、第１リンク部10の一端側で風向調整羽根4と一体的に回動する中間部材20に設けた連結軸4bを軸支している位置が、風向調整羽根4の後端縁よりも後方側の位置に配されており、第１リンク部10の他端側でガイド羽根5の連結軸5bを軸支している位置が、ガイド羽根5の先端縁側の位置に配されている。
【００５９】
これによって、風向調整羽根4と一体的に回動する中間部材に設けた連結軸4bと回動軸4aまでの距離が、ガイド羽根5における連結軸5bと回動軸5aまでの距離よりも長く構成されることになるので、風向調整羽根4の回動角度に比べてガイド羽根5の回動角度の方が、大きな回動角度になる。また、風向調整羽根4の回動角度とガイド羽根5の回動角度とに対応するため、第１円弧溝12の円弧径が第２円弧溝13の円弧径よりも大きく形成されている。
【００６０】
また、ガイド羽根5の幅方向における幅寸法が、風向調整羽根4の幅方向における幅寸法よりも短く構成されているので、風向調整羽根4を最大角度に回動させたときには、ガイド羽根5の後端縁を空調ケース2の下方側における内壁面2aに近接した位置に配することが
できる。
【００６１】
これによって、ガイド羽根5の後端縁を空調ケース2の下方側における内壁面2aとの間での吹き抜け風の発生を抑制することができる。しかもこのときには、風向調整羽根4の先端縁と空調ケース2の上方側における内壁面2aとの間には、調整風を吹出させるのに十分な間隔を構成しておくことができる。
【００６２】
尚、図示例では、風向調整羽根4の後端縁が回動する先に、内壁面2aに取り付けたスペーサ8を配した構成を示しているが、配風羽根6を軸支しているスペーサ8の配設位置を変更することによって、例えば、配風羽根6を風向調整羽根4の前方側に配することもできる。
【００６３】
ガイド羽根5と空調ケース2の上方側における内壁面2aとの間で第１絞り部を形成することができる。調整風の流れを矢印で示すように、第１絞り部を通った調整風は、層流となって風向調整羽根4に供給することができる。風向調整羽根4に供給された調整風は、風向調整羽根4の傾斜角度に基づいて配風されることになる。
【００６４】
即ち、風向調整羽根4の先端縁と空調ケース2の上方側における内壁面2aとの間で第２絞り部が形成され、この第２絞り部で増速された調整風が、空気吹出口3から吹き出されることになる。
【００６５】
また、空気吹出口3の開口端には、拡開部3aが形成されているので、風向調整羽根4で配風された調整風は、拡開部3aの面に沿って流れることができる。拡開部3aを形成しておくことによって、空気吹出口3の開口端において調整風の流れに剥離が生じるのを防止し、剥離によって引き起こされる乱流の発生を防止できる。これによって、風向調整羽根4の傾斜角度に基づいて配風された調整風を、流速を衰えさせることなく広範囲に亘って吹き出させることができる。
【００６６】
図５では、風向調整羽根4及びガイド羽根5を水平状態に配した図を示しており、風向調整羽根4及びガイド羽根5を空調ケース2の上下中央面上に配しておくことができる。これによって、風向調整装置1の正面視において、風向調整羽根4及びガイド羽根5は、空調ケース2の上下中央位置に配された構成になり、風向調整装置1に対する意匠性を大幅に向上させることができる。
【００６７】
また、風向調整羽根4及びガイド羽根5を水平な面上に配しておくことができるので、調整風の流れを矢印で示しているように、空調ケース2内を流れる直進風に対して平行に配することができる。これによって、風向調整羽根4とガイド羽根5とを段違い状に配した場合に比べて、調整風に対する圧力損失を大幅に低減させることができる。
【００６８】
図６は、図４とは逆向きに風向調整羽根4とガイド羽根5とを、それぞれの最大角度まで回動させた状態を示している。このときも、ガイド羽根5の後端縁は、空調ケース2の上側における内壁面2aに近接した位置に配されている。この構成によって、ガイド羽根5の先端縁と空調ケース2の下側における内壁面2aとの間において、第１絞り部を形成することができる。
【００６９】
また、ガイド羽根5の後端縁を空調ケース2の上方側における内壁面2aに近接させることができるので、ガイド羽根5の後端縁と空調ケース2の上方側における内壁面2aとの間での吹き抜け風の発生を抑制することができる。しかもこのときには、風向調整羽根4の先端縁と空調ケース2の下方側における内壁面2aとの間には、調整風を吹出させるのに十分な間隔を構成しておくことができる。
【００７０】
調整風の流れを矢印で示しているように、第１絞り部で絞られて増速した調整風は、風向調整羽根4に供給されることになり、風向調整羽根4によって、所望の配風方向に吹き出されることになる。空気吹出口3の開口端には、拡開部3aが形成されているので、風向調整羽根4によって配風された調整風の風速が、乱流の発生によって低減するのを防止しておくことができる。
【００７１】
このように、ガイド羽根5と風向調整羽根4との二段構成で、調整風の風向を制御しているので、薄型の風向調整装置1として構成しても、空気吹出口3から吹き出される調整風の配風範囲を広範囲に亘って構成することができ、しかも、空気吹出口3から吹き出される調整風の風速が低減するのを防止できる。
【００７２】
図７には、風向調整羽根4とガイド羽根5とを、矢印で示すように、紙面に対して反時計回り方向である上向きに回動させて仮想線で示した場合と、紙面に対して時計回り方向である下向きに回動させた場合と、を一緒に図示している。図７に示されるように、風向調整羽根4とガイド羽根5とを上下両方向に回動させたときに、風向調整羽根4の先端縁と空調ケース2の内壁面2aとの間隔が、ガイド羽根5の先端縁と空調ケース2の内壁面2aとの間隔よりも、広く形成しておくことができ、ガイド羽根5の後端縁を空調ケース2の内壁面2aに近接した状態に配設しておくことができる。
【００７３】
このように構成することができるので、ガイド羽根5の先端縁と空調ケース2の内壁面2aとによって、調整風を効率よく絞ることができ、絞られて層流となった調整風を風向調整羽根4で配風させることができる。しかも、調整風は、ガイド羽根5による一段目の絞りと、風向調整羽根4による二段目の絞りとによって、風速が増速させられることになる。そして、風速が増速した状態で、調整風は風向調整羽根4による配風方向に風向されることができる。
【実施例２】
【００７４】
実施例１では、風向調整羽根4とガイド羽根5とを第１リンク部10を用いたリンク機構で連動回動させる構成を説明した。実施例２では、リンク機構を用いる代わりに歯車機構を用いて、風向調整羽根4とガイド羽根5とを連動回動させる構成になっている。他の構成は、実施例１における構成と同様の構成になっており、実施例１における部材と同様の構成になっている部材は、同一の部材符号を用いることで、その部材の説明を省略する。
【００７５】
図８に示すように、風向調整羽根4は、風向調整羽根4の先端縁における角部に形成した回動軸4aを中心として回動することができ、ガイド羽根5は、ガイド羽根5の先端縁における角部よりも更に前方側に形成した回動軸5aを中心として回動することができる。
【００７６】
風向調整羽根4の回動軸4aは、空調ケース2の側壁の部位に回動自在に軸支されている。また、回動軸4aは空調ケース2の側壁から外方に延設されており、図９〜図１１に示すように、空調ケース2の外壁の外側に配した第１従動ギア16に固定されている。
即ち、回動軸4aは、扇形形状に形成された第１従動ギア16における扇の要の所に固定され、第１従動ギア16とともに一体的に回動することができる。
【００７７】
ガイド羽根5の回動軸5aは、空調ケース2の側壁において回動自在に軸支されている。回動軸5aは空調ケース2の側壁から外方に延設されており、図９〜図１１に示すように、空調ケース2の外壁の外側に配した第２従動ギア17に固定されている。
即ち、回動軸5aは、扇形形状に形成された第２従動ギア17における扇の要の所に固定され、第２従動ギア17とともに一体的に回動することができる。
【００７８】
第１従動ギア16と第２従動ギア17とは、空調ケース2の側壁に軸支された伝動ギア15にそれぞれ噛合している。即ち、伝動ギア15の回転軸15aは、空調ケース2の側壁に支持されており、伝動ギア15が回転軸15aを中心として回転することにより、第１従動ギア16及び第２従動ギア17は、それぞれ伝動ギア15の回転方向とは反対の方向に回動することになる。
【００７９】
そして、風向調整羽根4を操作ノブ7で回動させると、風向調整羽根4の回動は、第１従動ギア16、伝動ギア15、第２従動ギア17を介してガイド羽根5の回動に伝達される。即ち、図９に示すように、第１従動ギア16が、紙面に対して反時計回り方向に回動すると、伝動ギア15は回転軸15aを中心として時計回り方向に回転する。そして、第２従動ギア17も、反時計回り方向に回動して、ガイド羽根5を回動させることができる。
【００８０】
第１従動ギア16は、風向調整羽根4の回動軸4aに固定されているので、風向調整羽根4の幅方向における長さ寸法を長く構成することができ、風向調整羽根4を最大傾斜角度まで回動させたときには、ガイド羽根5の後端縁が空調ケース2の内壁面2aに近接した位置に移動すると同様に、風向調整羽根4の後端縁を空調ケース2の下側における内壁面2aに近接した位置まで移動させることができる。
【００８１】
尚、図示例では、風向調整羽根4の後端縁は、空調ケース2の下側における内壁面2aに取り付けたスペーサ8に近接した状態を示しているが、配風羽根6を軸支しているスペーサ8の配設位置を変更することによって、風向調整羽根4の後端縁を空調ケース2の下側における内壁面2aに近接させることができる。スペーサ8の配設位置としては、例えば、配風羽根6を風向調整羽根4の前方側に配した構成にすることもできる。
【００８２】
風向調整羽根4を最大傾斜角度まで回動させたときには、空調ケース2の下側における内壁面2aとガイド羽根5の後端縁及び風向調整羽根4の後端縁との間から、吹き抜け風が発生するのを防止することができる。
【００８３】
仮に、空調ケース2の下側における内壁面2aとガイド羽根5の後端縁との間から多少の吹き抜け風が発生したとしても、この吹き抜け風は、ガイド羽根5と風向調整羽根4との間の空間において、ガイド羽根5の先端側を通って風向調整羽根4によって配風される風によって吸引されることになる。その結果、空調ケース2の下側における内壁面2aと風向調整羽根4の後端縁との間から、吹き抜け風が発生するのを防止しておくことができる。
【００８４】
図１０に示すように、第１従動ギア16が、紙面に対して時計回り方向に回動すると、伝動ギア15は回転軸15aを中心として反時計回り方向に回転する。そして、第２従動ギア17も、時計回り方向に回動して、ガイド羽根5を回動させることができる。そして、図９で示した状態とは逆方向に回動させることができる。このとき、ガイド羽根5の後端縁を空調ケース2の上側における内壁面2aに近接した位置に移動させることができ、風向調整羽根4の後端縁を空調ケース2の上側における内壁面2aに近接した位置に移動させることができる。
【００８５】
図１１において矢印で示すように、伝動ギア15を紙面に対して時計回り方向及び反時計回り方向に回転させて、ガイド羽根5の後端縁及び風向調整羽根4の後端縁をそれぞれ空調ケース2の上側における内壁面2aや下側における内壁面2aに近接した位置に移動させたときにも、伝動ギア15と第１従動ギア16及び第２従動ギア17との噛合状態が維持される構成になっている。図１１では、伝動ギア15が紙面に対して時計回り方向に回動したときの風向調整羽根4及びガイド羽根5の状態を、仮想線で示している。
【実施例３】
【００８６】
実施例３では、一対のガイド羽根25a、25bを用いており、各ガイド羽根25a、25bは、水平状態においてそれぞれ空調ケース2の上下側における内壁面2a内に配設されている。ガイド羽根として一対のガイド羽根25a、25bを用いた構成と、一対のガイド羽根25a、25bと風向調整羽根4とを連動させる連動機構において、実施例１、２とは異なる構成になっている。他の構成は、実施例１、２における構成と同様の構成になっており、実施例１、２における部材と同様の構成になっている部材は、同一の部材符号を用いることで、その部材の説明を省略する。
【００８７】
図１２（ａ）には、風向調整羽根4と一対のガイド羽根25a、25bとの配置構成を示しており、図１２（ｂ）には、一対のガイド羽根25a、25bと風向調整羽根4とを連動させる連動機構を抜き出して示している。連動機構は、空調ケース2の一方の側面側に配設しておくことができる。図１２（ａ）に示すように、ガイド羽根25a及びガイド羽根25bは水平状態において、空調ケース2の上下側における内壁面2aに形成した凹部27a、27b内に配設されている。そして、それぞれの一端部側は、回動軸26a、26bによって軸支され、ガイド羽根25a及びガイド羽根25bが水平状態のときには、各ガイド羽根25a、25bの上面は、空調ケース2の内壁面2aと略同一の面となるように構成されている。
【００８８】
図１２（ｂ）に示すように、風向調整羽根4の回動軸4aには、風向調整羽根4と共に回動する駆動歯車28が設けられており、駆動歯車28は、駆動歯車28の一部には外歯部分28aが形成されており、残りの外周面には外歯が形成されていない切欠き部28bとして構成されている。駆動歯車28の外歯部分28aは、中間歯車29a、29bに噛合しており、各中間歯車29a、29bは扇形形状に構成された従動歯車30a、30bにそれぞれ噛合している。
【００８９】
各従動歯車30a、30bは、それぞれガイド羽根25a及びガイド羽根25bの回動軸26a、26bとともに回動することができる。即ち、各従動歯車30a、30bがそれぞれ回動軸26a、26bとともに回動することによって、各ガイド羽根25a、25bを回動させることができる。
【００９０】
風向調整羽根4が水平状態のときには、駆動歯車28に形成した切欠き部28bによって、各ガイド羽根25a、25bを凹部27a、27b内にそれぞれ収納させておくことができ、空調ケース2の内壁面2a内にガイド羽根25a、25bが突出していない状態にすることができる。
【００９１】
風向調整羽根4が、紙面の反時計回りに回動して一点鎖線で示す状態になると、外歯部分28aに噛合した中間歯車29bが回動して、回動軸26bを中心として従動歯車30bを回動させる。これにより、ガイド羽根25bの自由端側は、矢印で示すように反時計回り方向に回動して凹部27bから起き上がった状態になり、実線で示す状態から一点鎖線で示す状態に移動することができる。そして、風向調整羽根4とガイド羽根25bとを同じ方向に傾斜させることができる。
【００９２】
このとき、中間歯車29aは、駆動歯車28の切欠き部28bに対峙しているので、駆動歯車28によって回動されることはなく、ガイド歯車25aは実線で示すように凹部27a内に収納された状態が維持される。
【００９３】
この状態から風向調整羽根4を紙面の時計回り方向に回動させると、風向調整羽根4は、一点鎖線で示す状態から実線で示す水平状態を経て二点鎖線で示す状態に回動することができる。風向調整羽根4が一点鎖線で示した状態から、実線で示した状態に回動するときには、ガイド羽根25bは、一点鎖線で示した状態から実線で示した凹部27b内に収納された状態に回動することができる。
【００９４】
そして、風向調整羽根4が、実線で示した水平状態から二点鎖線で示した状態に回動すると、駆動歯車28の外歯部分28aが中間歯車29aに噛合して、中間歯車29aを回転軸31aを中
心として回転させ、中間歯車29aに噛合している従動歯車30aが回動する。従動歯車30aの回動により、ガイド羽根25aは凹部27aから起き上がって、矢印で示すように回動して二点鎖線で示す状態になる。そして、風向調整羽根4とガイド羽根25aとを同じ方向に傾斜させることができる。
【００９５】
このとき、回転軸31bを中心として回転する中間歯車29bは駆動歯車28の切欠き部28bに対向しているので、駆動歯車28の回転は伝達されない。そのため、ガイド羽根25bは凹部27b内に収納された状態を維持することになる。
【００９６】
このように構成することによって、ガイド羽根25a又はガイド羽根25bを空調ケース2の通路内に突出させると、ガイド羽根25a又はガイド羽根25bと空調ケース2の内壁面2aとの間で第１絞り部を構成することができる。そして、第１絞り部で絞られた調整風を層流にした後で、風向調整羽根4に供給することができる。
【００９７】
上記実施例の説明では、風向調整装置1を水平置きにして、風向調整羽根4によって上下方向に配風させる構成を説明したが、風向調整羽根1を縦置きに配設することもできる。また、本願発明は、薄型の風向調整装置1に限定されるものではなく、空気吹出口の開口面積が大きな風向調整装置に対しても、本願発明を好適に適用することができる。
【産業上の利用可能性】
【００９８】
本願発明は、風向調整装置内に配される前後二組の羽根（風向調整羽根とガイド羽根）によって、空気吹出口から吹き出される調整風の配風を行う構成として好適に適用することができる。
【符号の説明】
【００９９】
１・・・風向調整装置、２・・・空調ケース、３・・・空気吹出口、４・・・風向調整羽根、４ａ・・・回動軸、４ｂ・・・連結軸、５・・・ガイド羽根、５ａ・・・回動軸、５ｂ・・・連結軸、６・・・配風羽根、７・・・操作ノブ、１０・・・第１リンク部、１１・・・第２リンク部、１２・・・第１円弧溝、１３・・・第２円弧溝、１５・・・伝動ギア、１６・・・第１従動ギア、１７・・・第２従動ギア、２０・・・中間部材、２５ａ、２５ｂ・・・ガイド羽根、２７ａ、２７ｂ・・・凹部、２８・・・駆動歯車、２９ａ、２９ｂ・・・中間歯車、３０ａ、３０ｂ・・・従動歯車。
【図１】
2014024438.tif 000003
【図２】
2014024438.tif 000004
【図３】
2014024438.tif 000005
【図４】
2014024438.tif 000006
【図５】
2014024438.tif 000007
【図６】
2014024438.tif 000008
【図７】
2014024438.tif 000009
【図８】
2014024438.tif 000010
【図９】
2014024438.tif 000011
【図１０】
2014024438.tif 000012
【図１１】
2014024438.tif 000013
【図１２】
2014024438.tif 000014